(57)【要約】【課題】電気配線が容易な扉開閉装置を提供する。【解決手段】扉１を開閉させるためのモータを備え、扉１又は扉枠２に取り付けられる装置本体３と、装置本体３と商用電源９との間に配置され、商用電源９の電力を装置本体３に供給する電力供給装置５とを備え、電力供給装置５は、商用電源９に接続される第一電源コード２０及び第二電源コード２２と、装置本体３に接続される第三電源コード２４と、第一電源コード２０及び第二電源コード２２と第三電源コード２４との間に配置される中継ボックス２３とを備え、第三電源コード２４は、装置本体３と中継ボックス２３にそれぞれ着脱自在に接続される。【選択図】図１
2020197023.tif 000002
【特許請求の範囲】
【請求項１】
扉を開閉させるためのモータを備え、扉又は扉枠に取り付けられる装置本体と、
装置本体と商用電源との間に配置され、商用電源の電力を装置本体に供給する電力供給装置とを備え、
電力供給装置は、商用電源に接続される第一配線部と、装置本体に接続される第二配線部と、第一配線部と第二配線部との間に配置される中継部とを備え、
第二配線部は、装置本体と中継部にそれぞれ着脱自在に接続される、扉開閉装置。
【請求項２】
モータはＤＣモータであり、第一配線部は、ＡＣ／ＤＣ変換部を備えている請求項１記載の扉開閉装置。
【請求項３】
中継部又はＡＣ／ＤＣ変換部に、電池を備えている請求項２記載の扉開閉装置。
【発明の詳細な説明】
【技術分野】
【０００１】
本発明は、扉を電動で開いたり閉じたりするための扉開閉装置に関する。
【背景技術】
【０００２】
下記特許文献１には、電動で扉を開閉させる駆動装置が記載されている。駆動装置は扉の上部や扉枠の上枠に取り付けられる。同文献の図１３には、駆動装置が扉枠の上枠に取り付けられた使用状態が示されている。駆動装置は、電源プラグを有している。このような駆動装置に電力を供給するためには、扉枠に取り付けられた駆動装置の近傍に電源コンセントを設ける必要がある。そのため、駆動装置を設置する場合には、壁面に電気配線工事を施す必要がある。また、駆動装置を扉や扉枠に取り付けるときは、駆動装置から延びる電源コードや電源プラグが取付作業の邪魔にならないようにする必要がある。
【先行技術文献】
【特許文献】
【０００３】
【特許文献１】特開平１１−３１５６６７号公報
【発明の概要】
【発明が解決しようとする課題】
【０００４】
本発明は、電気配線が容易な扉開閉装置を提供することを課題とする。
【課題を解決するための手段】
【０００５】
本発明に係る扉開閉装置は、扉を開閉させるためのモータを備え、扉又は扉枠に取り付けられる装置本体と、装置本体と商用電源との間に配置され、商用電源の電力を装置本体に供給する電力供給装置とを備え、電力供給装置は、商用電源に接続される第一配線部と、装置本体に接続される第二配線部と、第一配線部と第二配線部との間に配置される中継部とを備え、第二配線部は、装置本体と中継部にそれぞれ着脱自在に接続される。尚、扉開閉装置は、開扉動作と閉扉動作の両方を行うものの他、開扉動作のみ、あるいは、閉扉動作のみを行うものであってもよい。
【０００６】
該構成の扉開閉装置によれば、装置本体と商用電源とを電力供給装置を介して容易に接続することができ、商用電源から装置本体までの電気配線が容易になる。また、電力供給装置が中継部を備えていて、第二配線部が装置本体と中継部にそれぞれ着脱自在に接続されるので、第二配線部のみを容易に取り付け、取り外しでき、また第二配線部のみを容易に交換することができる。例えば、装置本体を扉の外部に取り付けて第二配線部を露出させて配線する場合には、第二配線部として伸縮性に優れて変形も容易なものを使用することができる。一方、第二配線部を扉や扉枠の内部を通す場合や装置本体を扉枠に取り付ける場合には、第二配線部として細いものを使用することができる。更に、第二配線部を装置本体から外した状態で装置本体を扉等に取り付けることができ、装置本体の取付作業が容易になる。
【０００７】
特に、モータはＤＣモータであり、第一配線部は、ＡＣ／ＤＣ変換部を備えていることが好ましい。該構成によれば、ＡＣ／ＤＣ変換部が第一配線部に設けられているので、第二配線部の構成がシンプルになり、第二配線部の配線処理や交換が容易になる。また、装置本体がＡＣ／ＤＣ変換部を備える必要がなく、装置本体を容易に小型化でき、装置本体の美感も向上できる。
【０００８】
更に、中継部又はＡＣ／ＤＣ変換部に、電池を備えていることが好ましい。該構成によれば、停電時に電池から装置本体に電力を供給することができる。そして、中継部又はＡＣ／ＤＣ変換部に電池を備えることにより、電池の配置が容易である。また、装置本体が電池を備える必要がなく、装置本体を容易に小型化でき、装置本体の美感も向上できる。
【発明の効果】
【０００９】
以上のように、扉開閉装置を設置する際における電気配線が容易になる。
【図面の簡単な説明】
【００１０】
【図１】本発明の一実施形態における扉開閉装置の使用状態を示す概略構成図。
【図２】図１の要部拡大図。
【図３】図１の要部拡大図。
【発明を実施するための形態】
【００１１】
以下、本発明の一実施形態にかかる扉開閉装置について図１〜図３を参酌しつつ説明する。扉開閉装置は、扉１を電動で開いたり、あるいは、閉じたりする。扉開閉装置は、扉１の開扉動作のみや閉扉動作のみを行う構成であってもよいし、扉１の開扉動作と閉扉動作の両方を行う構成であってもよい。図１に扉開閉装置の全体構成を示している。図１では、一例として左開き（左勝手）の扉１を示しているが、右開き（右勝手）の扉１であってもよい。
【００１２】
本実施形態において、扉１は回動する。扉１は、扉枠２に図示しないヒンジを介して回動可能に取り付けられている。扉１は、上下方向の軸線まわりに水平方向に回動する。扉開閉装置は、装置本体３と、リンク機構４と、電力供給装置５とを備えている。装置本体３は、扉１又は扉枠２に取り付けられる。本実施形態において、装置本体３は扉１の外部に取り付けられる。具体的には、装置本体３は、扉１の前面の上部であって、ヒンジ寄りの位置に取り付けられる。装置本体３は、図示しない取付板を介して扉１に取り付けられる。リンク機構４は、装置本体３と扉枠２とを連結する。図２のように、リンク機構４は、アーム６とリンク７とブラケット８とを備えている。
【００１３】
＜装置本体３＞
装置本体３は、駆動軸１０を備えている。駆動軸１０は、上下方向の軸線まわりに回転する。駆動軸１０の上端部にアーム６の一端部が連結される。アーム６は、駆動軸１０と一体となって回動する。アーム６は、駆動軸１０を中心として水平方向に回動する。アーム６の他端部はリンク７の一端部に回動可能に連結されている。リンク７の他端部はブラケット８に回動可能に連結されている。ブラケット８は扉枠２の上枠２ａの下面に取り付けられる。装置本体３は、扉１を開閉させるためのモータ１１と、モータ１１を駆動制御する図示しない制御ユニット（本体制御部）とを備えている。モータ１１は、駆動軸１０を駆動する。モータ１１は、例えばブラシレスＤＣモータである。
【００１４】
＜電力供給装置５＞
電力供給装置５は、装置本体３と商用電源９との間に配置される。商用電源９は、建物に配線された例えばＡＣ１００Ｖ電源である。電力供給装置５は、商用電源９の電力を装置本体３に供給する。電力供給装置５は、その一方の端部が商用電源９に接続され、他方の端部が装置本体３に接続される。
【００１５】
電力供給装置５は、商用電源９に接続される第一配線部と、装置本体３に接続される第二配線部と、第一配線部と第二配線部との間に配置される中継部とを備えている。第一配線部は、商用電源９から中継部までの区間であり、第二配線部は、中継部から装置本体３までの区間である。電力供給装置５は、具体的には、第一電源コード２０と、ＡＣアダプタ２１と、第二電源コード２２と、中継ボックス２３と、第三電源コード２４とを備えている。本実施形態において、第一電源コード２０とＡＣアダプタ２１と第二電源コード２２が第一配線部を構成しており、中継ボックス２３は中継部であり、第三電源コード２４は第二配線部である。
【００１６】
第一電源コード２０は、商用電源９とＡＣアダプタ２１とを接続する。第一電源コード２０は、第一端部２０ａに電源プラグ２５を備えている。電源プラグ２５は、商用電源９の差し込み口（コンセント）に差し込まれる。商用電源９の差し込み口は、建物の壁面に設置されている。第一電源コード２０の第二端部２０ｂはＡＣアダプタ２１に着脱自在に接続される。但し、第一電源コード２０の第二端部２０ｂがＡＣアダプタ２１と一体に構成されていてもよい。ＡＣアダプタ２１は、商用電源９から入力される交流電力を直流電力に変換して出力する。例えば、ＡＣ１００ＶをＤＣ１２Ｖに変換する。ＡＣアダプタ２１は、例えば扉枠２の縦枠２ｂやその近傍の壁面に取り付けられる。
【００１７】
第二電源コード２２は、ＡＣアダプタ２１と中継ボックス２３とを接続する。第二電源コード２２の第一端部２２ａはＡＣアダプタ２１に着脱自在に接続される。但し、第二電源コード２２の第一端部２２ａがＡＣアダプタ２１と一体に構成されていてもよい。第二電源コード２２の第二端部２２ｂは中継ボックス２３に着脱自在に接続される。但し、第二電源コード２２の第二端部２２ｂが中継ボックス２３と一体に構成されていてもよい。
【００１８】
中継ボックス２３は、装置本体３の近傍に取り付けられる。中継ボックス２３は、例えば扉枠２の縦枠２ｂの上部や扉枠２の上枠２ａ、あるいはそれらの近傍の壁面に取り付けられる。中継ボックス２３は、扉１の回転軸側（ヒンジ側）の縦枠２ｂに設置されることが好ましく、また装置本体３と略同一高さに設置されることが好ましい。本実施形態において、中継ボックス２３には、電池としての二次電池２６と制御板２７（電池制御部）が収納されている。二次電池２６は、停電時に装置本体３に電力を供給するためのものである。制御板２７は、二次電池２６の充電と放電の切り替えを制御する。制御板２７は、停電時においては二次電池２６から電力を放電し、停電ではない通電時（通常時）においては二次電池２６に電力を充電する。中継ボックス２３は、図示しない蓋を備えることが好ましい。中継ボックス２３の蓋を開けて二次電池２６や制御板２７を交換、メンテナンスできる。尚、二次電池２６と制御板２７がＡＣアダプタ２１に収納されていてもよい。二次電池２６は、例えば、ニッケル水素電池の単三型を四個直列配置した構成とすることができる。従って、二次電池２６の電圧は１．２Ｖ×４＝４．８Ｖとすることができる。また、制御板２７は、入力電圧を昇圧して出力する昇圧部を備えることができる。例えば、上述のように二次電池２６の電圧が４．８Ｖであって、モータ１１の駆動電圧が１２Ｖである場合には、二次電池２６の電圧を昇圧して１２Ｖの電圧を出力する。尚、中継ボックス２３に、二次電池２６の放電や充電を外部に報知するための報知部として、ＬＥＤ等を設けてもよい。また、本実施形態では、電池として二次電池２６を使用しているが、乾電池等の一次電池を使用できるように構成することもできる。電池を一次電池として構成する場合は、制御板２７は充電を行う機能が不要となる。
【００１９】
第三電源コード２４は、中継ボックス２３と装置本体３とを接続する。第三電源コード２４の第一端部２４ａは中継ボックス２３に着脱自在に接続される。第三電源コード２４の第二端部２４ｂは装置本体３に着脱自在に接続される。本実施形態では、第三電源コード２４は、伸縮性を有するコードが使用されている。例えば、カールコード（スプリングコード）が好適に使用される。
【００２０】
以上のように、電力供給装置５によって、装置本体３と商用電源９とを容易に電気的に接続することができる。そのため、商用電源９から装置本体３までの電気配線が容易になる。また、電力供給装置５が中継ボックス２３を備えていて、第三電源コード２４が装置本体３と中継ボックス２３にそれぞれ着脱自在に接続されるので、第三電源コード２４のみを容易に着脱できる。そして、第三電源コード２４のみを容易に交換することができる。本実施形態のように装置本体３を扉１の外部に取り付ける場合には、第三電源コード２４として伸縮性に優れたカールコードを使用することができる。それによって第三電源コード２４が扉１の開閉に容易に追従して伸縮できる。尚、本実施形態では、第三電源コード２４を外部に露出して配線しているが、扉枠２及び扉１の内部を通して中継ボックス２３と装置本体３とを接続する場合には、第三電源コード２４として細いコードを使用することで配線が容易になる。この場合、第三電源コード２４は、ヒンジ側あるいはヒンジの内部を経由して扉枠２の内部から扉１の内部へ導入される。この第三電源コード２４を扉枠２及び扉１の内部を通す配線は、装置本体３がコンシールドタイプであって装置本体３を扉１の内部に取り付ける場合に好適である。その一方、装置本体３を扉枠２に取り付ける場合にも、第三電源コード２４として細いコードを使用することで、露出する第三電源コード２４が目立ちにくくなり、また第三電源コード２４の処理が容易になる。また更に、装置本体３を扉１等に取り付ける際においても、第三電源コード２４の第二端部２４ｂを装置本体３から外した状態としておくことで、装置本体３を扉１等に容易に取り付けることができる。尚、第三電源コード２４は、長さ方向の例えば中間部で複数に分離可能な構成としてもよい。即ち、第三電源コード２４は、一本構成ではなく、二本以上に分割可能な構成であってもよい。
【００２１】
また、電力供給装置５がＡＣアダプタ２１を備えているので、装置本体３がＡＣ変換部を備える必要がなく、装置本体３が大型化しなくて済み、装置本体３の外観を向上できる。そして、電力供給装置５のうち中継ボックス２３よりも商用電源９側にＡＣアダプタ２１が設けられているので、第三電源コード２４の構成がシンプルなものとなり、第三電源コード２４にカールコード等を容易に使用でき、またその配線処理や交換作業も容易である。
【００２２】
更に、電力供給装置５が二次電池２６を備えているので、二次電池２６に蓄えた電力を使用することにより、停電になっても扉１を開閉することができる。中継ボックス２３に二次電池２６と制御板２７が収納されているので、二次電池２６と制御板２７の配置が容易であり、交換等のメンテナンスも容易である。装置本体３に二次電池２６や制御板２７を備える必要がないので、装置本体３を小型化できる。
【符号の説明】
【００２３】
１    扉
２    扉枠
２ａ  上枠
２ｂ  縦枠
３    装置本体
４    リンク機構
５    電力供給装置
６    アーム
７    リンク
８    ブラケット
９    商用電源
１０    駆動軸
１１    モータ
２０    第一電源コード（第一配線部）
２０ａ  第一端部
２０ｂ  第二端部
２１    ＡＣアダプタ（ＡＣ／ＤＣ変換部）
２２    第二電源コード（第一配線部）
２２ａ  第一端部
２２ｂ  第二端部
２３    中継ボックス（中継部）
２４    第三電源コード（第二配線部）
２４ａ  第一端部
２４ｂ  第二端部
２５    電源プラグ
２６    二次電池
２７    制御板
【図１】
2020197023.tif 000003
【図２】
2020197023.tif 000004
【図３】
2020197023.tif 000005